(57)【要約】【課題】  間仕切り装置、特に衝立を低コストで販売する間仕切り装置の販売方法の提供。【解決手段】  製造メーカー１は所定の間仕切り装置を対象とした専用の販売部門４を設け、該販売部門４はホームページ５を立ち上げて間仕切り装置を掲載し、そして、上記販売部門と専用の契約及び登録をした販売パートナー３を設け、販売パートナー３はエンドユーザー２に対して販売促進活動を行う。【選択図】    図１
2014197269.tif 000002
【特許請求の範囲】
【請求項１】
間仕切り装置、特に衝立を販売する方法において、製造メーカーは所定の間仕切り装置を対象とした専用の販売部門を設け、該販売部門はホームページを立ち上げて間仕切り装置を掲載し、そして、上記販売部門と専用の契約及び登録を行った販売パートナーを設け、該販売パートナーはエンドユーザーに対して販売促進活動を行い、上記エンドユーザーが間仕切り装置を購入する場合には、上記販売部門のホームページに設けた専用サイトを通じ注文欄（購入欄）に所定の事項を入力して送信することで間仕切り装置の注文を行うことを特徴とする間仕切り装置の販売方法。
【請求項２】
上記ホームページには、販売対象とする間仕切り装置と共に、間仕切り装置の据え付け手順を掲載した請求項１記載の間仕切り装置の販売方法。
【請求項３】
上記間仕切り装置の据え付け手順を動画にて掲載した請求項２記載の間仕切り装置に販売方法。
【発明の詳細な説明】
【技術分野】
【０００１】
本発明は間仕切り装置を販売するに当たって、販売者の負担を軽減して効率よく販売することが出来る方法に関するものである。
【背景技術】
【０００２】
今日、世の中には無数の商品が出回り、消費者はこれらの商品を選択して購入するが、商品の種類によっては販売ルート並びに販売形態も違っている。食料品や雑貨であれば消費者は直接スーパーマーケットなどへ出向いて購入し、自動車であれば車販売店へ行って営業担当者と車の機能並びに価格等を相談して購入する。一方、住宅などの不動産であれば、建売住宅を購入する場合もあるが、住宅メーカに依頼して好みの間取りを設計・施工してもらうケースも多い。
【０００３】
このように、一口に商品と言って多種・多様であり、その販売方法は各商品によって様々である。近年、コンピュータの普及に伴い、インターネットを介して販売者のホームページを閲覧することが出来、該ホームページに掲載している商品を選んで購入することも出来る。そして、インターネットを利用した商品販売に関しては、色々な発明がなされている。
【０００４】
特開２００３−１７８１２１号に係る「商品販売システム」は、新たな店舗を開設することによる販売者の資金面におけるリスクを軽減すると共に、販売者の商品の質感等を伝えてホームページに対する消費者のアクセスを誘引し、商品販売を促進することが出来る。
不特定多数の消費者が集まる場所に設置した展示スペースに販売者がインターネット販売している商品をそのホームページのＵＲＬと共に展示し、展示された商品に興味を持った消費者からの販売者のホームページへのアクセスを誘引することで商品の発注を促す。
【０００５】
特開２００２−２４５３６４号に係る「商品販売システム及び商品販売方法」は、セキュリティ上の問題を有しないとともに、ユーザの代金振り込み手続きや現金の準備等の負担及び注文後の配送日数の増加要因を除去する。
ユーザのユーザ端末と、販売センターの販売センター端末と、配送センターの配送センター端末と、ユーザの口座振替利用による代金自動引き落としにより代金回収を行う代金回収事業者の代金回収事業者端末と、これら各端末を相互に接続するネットワークを備える。ユーザがユーザ端末からネットワークを経由して販売センターに対して購入希望の商品の注文を行い、販売センターが配送センターに指示してユーザ指定の届け先へ届け、代金回収事業者のユーザの口座振替利用による自動引き落としにて代金回収を行う。
【０００６】
特開２００１−２３６３８９号に係る「商品販売システム」は、仮想店舗を開いて商品の販売を行うことができる商品販売システムを提供する。
インターネットを用いて行う商品販売システムであって、店舗管理部は、識別子を有するとともに、商品管理部から複数の商品データを取り込み、顧客に対しその取り込んだ商品データ、販売価格を提示したホームページを提供し、受注管理部は、経営者のホームページにおいて選ばれた商品、個人情報を受け付け、この受け付けた選択商品の発送指示を行い、また、販売価格管理部に記憶された選択商品の販売価格と商品管理部に記憶された選択商品の仕入れ価格との差額からその識別子を有する店舗管理部の経営者に支払う利益を計算する。
【０００７】
【特許文献１】特開２００３−１７８１２１号に係る「商品販売システム」
【特許文献２】特開２００２−２４５３６４号に係る「商品販売システム及び商品販売方法」
【特許文献３】特開２００１−２３６３８９号に係る「商品販売システム」
【発明の開示】
【発明が解決しようとする課題】
【０００８】
このように、インターネットを用いて商品を販売する方法は色々と知られている。しかし、商品の形態によってはこの販売システムは一律ではなく、販売される商品に適したシステムが構築されている。本発明が販売の対象とする間仕切り装置は主として衝立であるが、本発明はこの間仕切り装置である衝立の販売方法である。
【０００９】
間仕切り装置は間仕切り製造メーカーにおいて製造されるが、その販売は全国各地に設置している営業所の営業マン（販売者）が行っている。間仕切り装置は建物の大きな空間を仕切る為に据え付けられることから、建設会社や設計事務所に対して営業活動を行う場合が大半である。
【００１０】
しかし、間仕切り装置の中でも仕切られた空間内部に設置する衝立は、個人消費者又は建物の所有者が職場環境を整える為に据え付ける場合が多い。また、近年は購入希望者が色や柄など、デザイン性に優れた衝立を購入したいという要望が増えており、さらには多様なデザインバリエーションの中から自分の好みに合ったデザインを自由に選択できる機能についても求められている。このような衝立を販売する為に従来の方法で営業活動を行うことは非効率的である。
【００１１】
本発明が解決する課題はこの問題点であり、営業マン（販売者）の他に販売パートナーを有し、効率的な販売促進活動を行うことが出来る間仕切り装置の販売方法を提供する。
【課題を解決するための手段】
【００１２】
本発明はインターネットを介して間仕切り装置、特に衝立を販売する方法であり、出願人である間仕切り製造メーカーは独自のホームページを有し、誰でもこのホームページを閲覧することが出来る。ホームページにはメーカーが製造販売する各種の間仕切り装置が掲載されている。この点は、一般の商品販売と同じであるが、本発明では販売パートナーを有し、該販売者（営業マン）と共に、又は販売者に代わって間仕切り装置の販売促進活動を行う。ここで、販売パートナーとは法人のように会社組織を構成した場合に限らず、製造販売メーカーと契約を交わした個人などが含まれ、販売パートナーは製造メーカーと事前に打ち合わせを行って契約することが出来るようにしている。
【００１３】
間仕切り装置にもその種類は色々あるが、本発明では主として衝立を対象とし、その為に衝立を購入したユーザーが自分で据え付けることが出来るように上記ホームページには具体的な据え付け方法を詳細に掲載している。必要に応じて衝立の据え付け作業を説明する為に動画を掲載する場合もある。ただし、衝立を除く間仕切り装置は、素人にとってその据え付けを行うことは出来ず、専門的な技術を必要とする。従って、衝立以外の間仕切り装置は、ホームページにその据え付け手順の説明を掲載しない。そして、販売パートナーは販売促進活動を行うのみで、販売した間仕切り装置の代金回収を行うことはない。代金回収は信用保証会社又は信販会社を介して行うシステムとしているが、ここで、具体的方法は限定しない。
【発明の効果】
【００１４】
本発明では、間仕切り装置特に衝立の販売を行うに際して販売パートナーを組織し、販売パートナーは製造販売メーカーの販売者と共に、又は販売者に代わって販売促進活動を行う。専用の契約を行うことで販売パートナーとして登録され、日本全国隅々に販売パートナーを配置できる。従来では、製造販売メーカーの支店や営業所を所々に設けているが、その設置数には限界があり、大都市に限られてしまうことが多い。
【００１５】
本発明は法人や個人事業主等が販売パートナーとして登録することで、地方であっても販売パートナーを配置することが可能と成り、その為に間仕切り装置の販売を促進することが出来る。しかも、会社組織となる営業所を設置するのではない為に必要経費は少なく、販売する間仕切り装置を低コストで提供することに結びつく。ところで、一般のエンドユーザーは製造販売メーカーのホームページに設けている注文欄を利用して間仕切り装置（衝立）の注文を行うことが出来る。
【図面の簡単な説明】
【００１６】
【図１】本発明に係る間仕切り装置を販売する際の概略図。
【発明を実施するための形態】
【００１７】
図１は本発明に係る間仕切り装置の販売方法を示している概略図である。間仕切り装置に限らず一般的な商品の流れは製造メーカー２からエンドユーザー２へ商品が流れるが、本発明では間仕切り装置の販売促進活動として販売パートナー３を有している。販売パートナー３は製造メーカー１と契約して登録することで販売パートナー３として成立し、間仕切り装置の販売促進活動を行うことが出来る。
【００１８】
製造メーカー１は専用の販売部門４を設置し、この販売部門４は独自のホームページ５を立ち上げている。該ホームページ５には販売部門４が取り扱う間仕切り装置、特に衝立に関する情報が掲載され、販売パートナー３の紹介によって誘引された購入希望者がホームページ５にアクセスし、専用ＩＤを取得した後、商品を注文することが出来る。
【００１９】
そして、エンドユーザー自らが専門家の手を借りることなく衝立を据え付け出来る内容が該ホームページ５には掲載されている。すなわち、衝立の据え付け手順が詳細に掲載され、必要に応じて据え付け手順を説明する為の動画を掲載することも出来る。ただし、衝立以外の間仕切り装置に関しては、エンドユーザー自らが据え付けすることは出来ない為に、据え付けに関する詳細な手順は掲載する必要がない。
【００２０】
ところで、上記販売パートナー３は製造メーカー１に設けた専用の販売部門４と契約を行うことで登録されるが、法人のような大きな会社組織のみならず個人事業主であっても契約・登録が出来る。従って、間仕切り装置に興味のある人、家具や建具に興味のある人であれば、自由に契約・登録することが出来る。例えば、ファッションに興味のある女性経営者が販売パートナー３になることが出来、都会と地方といった地域の格差に関係なく多数配置することが可能となる。さらに、販売促進活動は販売パートナーに一任されている為、販売パートナーの裁量で行うことが出来る。
【００２１】
販売パートナー３は専用の販売部門４と契約することで登録することが出来る。ところで、登録した販売パートナー３はエンドユーザー２に対して販売促進活動を行う。そして、商品を購入する場合、エンドユーザー２はホームページ５に設けた専用サイトを通じ、注文欄（購入欄）に所定の事項を入力して送信する。
【００２２】
専用サイトを介して購入する旨を送信したならば、製造メーカー１は注文の商品を発送（納品）する。納品された商品はエンドユーザー自ら、ホームページ５の据え付け手順欄を参考に据え付けることが出来る。勿論、納品される商品と共に据え付け手順を記載した説明書は添付されているが、据え付け作業の動画をホームページに掲載している場合には、この動画を閲覧する方が分かり易い。
【００２３】
ところで、エンドユーザー２はホームページ５上の注文欄（購入欄）にて商品の注文依頼を行った場合、該ホームページ５を立ち上げている販売部門４は信用保証会社へエンドユーザー２となる購入者の与信の問い合わせを行う。そこで、信用保証会社は審査を行い、審査通過の通知が事業部へ行われ、同時に事業部４から信用保証会社へ債権の譲渡がなされる。
【００２４】
エンドユーザー２が注文した商品の納品は、信用保証会社への債権譲渡がなされた段階で行われ、販売部門４は注文された商品をエンドユーザー２へ代金の請求を行い、エンドユーザー２は信用保証会社へ請求された代金を支払う。そして、信用保証会社は所定の代金を販売部門４へ入金する。ここで、記載した代金回収方法は１つの具体例であり、その方法はこれに限定しない。例えば、信用保証会社に限らず信販会社とすることも出来る。販売パートナー３は代金回収における煩雑な手続きを行うことがなく、効率のよい販売促進活動を行うことが可能となる。
【００２５】
販売パートナー３は自由に販売促進活動を行い、その手段は販売パートナー３に一任されている。例えば、直接対面して商品を紹介する場合、また、販売パートナーの個人ホームページで紹介する場合、さらには、ソーシャルネットワーキングサービス上で紹介する場合などがある。これらの販売パートナーの商品紹介において、誘引された購入希望者が製造メーカーのホームページにアクセスし、専用ＩＤを取得した後、掲載されている商品を選択出来る。そして、この商品掲載のホームページには色や柄といった多種・多様なバリエーションの中から選択することが出来る機能も設けている為、購入希望者が自分の趣向に合ったデザインを選択し、実際の商品イメージを想像しながら購入できる。
【符号の説明】
【００２６】
１   製造メーカー
２   エンドユーザー
３   販売パートナー
４   販売部門
５   ホームページ
【図１】
2014197269.tif 000003